(57)【要約】流れ制御室と、ディフューザと、固定長さ止栓とを備える流れ制御装置を提供する。固定長さ止栓は、軸と、栓とを備える。軸は、その長手方向軸に沿って圧縮することができる。流れ制御装置は、流れ制御部本体に取外し可能に取り付けられたインターフェースをさらに備える。固定長さ止栓の固定部分が、インターフェースに取り付けられている。流れ制御装置は、複数の所定の長さを有する複数の固定長さ止栓をさらに備える。装着されると、固定長さ止栓のそれぞれが、流れ制御室を通過する流体にある流速を生じさせるためにディフューザに所定の距離だけ入った状態で位置決めされる。固定長さ止栓は、所定の長さに従って色分けされている。【選択図】図３
2010527070.tif 000002
【特許請求の範囲】
【請求項１】
流体用の流れ制御装置であって、
流れ制御室と、
前記流れ制御室内に配置されたディフューザと、
固定長さ止栓と、を備え、
前記固定長さ止栓が、前記ディフューザに所定の距離だけ入った状態で位置決めされ、それによって、前記流れ制御室を通過する前記流体の流速を制御する、流れ制御装置。
【請求項２】
前記固定長さ止栓が、軸と、栓とを備える、請求項１に記載の流れ制御装置。
【請求項３】
前記軸が圧縮できる素材を含み、それにより、前記軸をその長手方向軸に沿って圧縮することができる、請求項２に記載の流れ制御装置。
【請求項４】
前記圧縮できる素材がばねを含む、請求項３に記載の流れ制御装置。
【請求項５】
前記ディフューザが中空円柱を備え、前記栓が中実円柱を備える、請求項２に記載の流れ制御装置。
【請求項６】
前記ディフューザの内径が、前記栓の半径より僅かに大きい、請求項５に記載の流れ制御装置。
【請求項７】
前記ディフューザが複数のディフューザ開口を備える、請求項１に記載の流れ制御装置。
【請求項８】
前記流れ制御室を画成する流れ制御部本体と、
前記流れ制御部本体に取外し可能に取り付けられているインターフェースと
をさらに備える、請求項１に記載の流れ制御装置。
【請求項９】
前記固定長さ止栓の固定部分が前記インターフェースに取り付けられている、請求項８に記載の流れ制御装置。
【請求項１０】
前記固定長さ止栓が、前記流れ制御室内に所定の距離だけ延出する、請求項９に記載の流れ制御装置。
【請求項１１】
前記固定長さ止栓が圧縮できる素材を含み、それにより、前記固定長さ止栓をその長手方向軸に沿って圧縮することができる、請求項１に記載の流れ制御装置。
【請求項１２】
前記圧縮できる素材がばねを含む、請求項１１に記載の流れ制御装置。
【請求項１３】
複数の所定の長さを有する複数の固定長さ止栓をさらに備え、
前記固定長さ止栓のそれぞれが、前記ディフューザに所定の距離だけ入った状態で位置決めされ、前記流れ制御室を通過する前記流体にある流速を生じさせる、請求項１に記載の流れ制御装置。
【請求項１４】
前記複数の固定長さ止栓が、複数の所定の長さに従って色分けされる、請求項１３に記載の流れ制御装置。
【請求項１５】
流れ制御室を通る液体の流速を制御する方法であって、
寸法の異なる複数の固定長さ止栓を提供するステップと、
前記流れ制御室を通る前記液体の所望の流速を決定するステップと、
前記寸法の異なる複数の固定長さ止栓の１つを選択するステップと、
前記選択された寸法の異なる固定長さ止栓の１つを前記流れ制御室の内部に配置するステップと、
前記液体を前記所望の流速で前記流れ制御室を通して流すステップと
を含む方法。
【発明の詳細な説明】
【技術分野】
【０００１】
[101]  本出願は、一般に、計量供給装置に関し、より詳細には、それに限定するものではないが、飲料ディスペンサに連係する、飲料流体の流速を調節する改良された流れ制御装置に関する。
【背景技術】
【０００２】
[102]  標準的な混合済み飲料ディスペンサは、飲料を調製するために飲料流体を混合する。特に、ソフトドリンク用の飲料風シロップなどの濃縮液の１配分量は、淡水または炭酸水などの希釈液の１配分量により混合される。濃縮液および希釈液は、通常、計量供給バルブアセンブリの計量供給ノズルを通して同時に計量供給され、それにより、所望の飲料が、混合されると同時に消費者に計量供給される。このように、それぞれの飲料流体は、飲料流体ラインを介して、飲料流体源から飲料ディスペンサの中を計量供給バルブアセンブリまで運ばれる。標準的な混合済み飲料ディスペンサは、一般に、他の機構と共に、計量供給バルブアセンブリによって送り出される飲料流体の流量および流速を制御する流れ制御装置を備える。
【０００３】
[103]  流れ制御装置は、通常、流れ制御アセンブリとバルブアセンブリとに作動上分けられる。流れ制御アセンブリは、飲料流体ラインに連結され、そこから飲料流体を受け取る。流れ制御アセンブリは、高品質のドリンクが計量供給ノズルから送出されるように、飲料流体の流速を最適に調節する。バルブアセンブリは、所望の量の飲料流体を計量供給バルブアセンブリから計量供給ノズルへ通過させるように、流れ制御アセンブリおよび計量供給ノズルに作動的に係合している。
【０００４】
[104]  流れの圧力が変化する中で、濃縮液および希釈液の流速を一定に維持することにより、混合済み飲料ディスペンサの流れ制御アセンブリは、確実に適切な濃縮液と希釈液の混合比を形成する。適切な混合比によって、ディスペンサは、一定の品質および味を有する飲料を提供することができる。そのような一貫性は、飲料製品が市場および商業的に成功する上で望ましい。しかし、現状の流れ制御アセンブリは、一般に、出来上がる混合飲料に適切な濃縮液／希釈液の比を達成するために、熟練した技師による時間の掛かる初期較正を必要とする。さらに、現状の流れ制御アセンブリは、時間経過と共に適正な調節状態から「ドリフト」して行くので、定期的に手作業による再較正を必要とする。
【０００５】
[105]  図１は、先行技術による流れ制御装置１０を示し、その流れ制御装置は、米国特許第６，３２８，１８１号により詳細に記載されている。流れ制御装置１０は、可調節流れ制御機構をもつ流れ制御ユニット３０を有する流れ制御アセンブリ２０を備える。図示のように、このユニットは、流れ制御室６０内でピストン５０の位置を変化させることによって流れ制御ユニットを横切る流速を選択的に制御する流れ調節インターフェース４０を備える。流れ調節インターフェース４０は、流れ制御ばね７０に作動的に連結され、それによって、流れ調節インターフェース４０を変位させるにつれてピストン５０を変位させることが可能になる。流れ調節インターフェース４０は、流れ調節インターフェース４０の位置を決め調節するために対応する制御入力（ねじ回しなど）を受ける調節スロット８０を備える（すなわち、流れ調節インターフェース４０は、ねじ回しで時計方向に回されることによって締め上げられ得、それによってピストン５０を流れ制御室６０にさらに押し込み、流れ制御アセンブリ２０によって得られる流速を減少させ、または、流れ調節インターフェースは緩められ得、逆の結果を得る）。
【０００６】
[106]  したがって、図１の例では、技師が、最初の設定時にアセンブリを較正する必要があり、また、装置が適正な調節状態からドリフトして行くので、定期的に再較正する必要があり得る。さらに、米国特許第６，３２８，１８１号に記載されているように、そのような可調節流れ制御機構を有する流れ制御アセンブリは、熟練技師以外の者が流れ制御インターフェース４０にアクセスするのを防止するロッキングユニット９０を有することが有益である。これは、未熟な者による有害な手出しから較正を守ろうとする意図である。それにも拘わらず、可調節流れ制御装置を有するディスペンサの作動は、飲料の品質が一定せず、不必要な労力を要するようになる。ドリンクの完全性は、流れ制御アセンブリが、特に、訓練されていないサービス技師によって、不適切に較正されたとき、または、流れ制御アセンブリが、再較正が行われるまでに調節状態からドリフトしたときに損なわれ得る。さらに、技師に必要な訓練は、時間および費用が掛かる。
【発明の概要】
【発明が解決しようとする課題】
【０００７】
[107]  したがって、混合済み飲料ディスペンサの濃縮液および希釈液両方の流れについて正確かつ効率的流速制御を行う流れ制御アセンブリが望まれる。さらに、流れ制御アセンブリが、較正から定期的にドリフトしないことが望まれる。
【課題を解決するための手段】
【０００８】
[108]  そこで、本願は、流体用の流れ制御装置を記載する。その流れ制御装置は、流れ制御室と、流れ制御室内に配置されたディフューザと、固定長さ止栓とを備え得る。固定長さ止栓は、ディフューザに所定の距離だけ入った状態で位置決めされ、それによって、流れ制御室を通過する流体の流速を制御する。
【０００９】
[109]  固定長さ止栓は、軸と、栓とを備え得る。軸は圧縮できる素材を含み得、それにより、軸をその長手方向軸に沿って圧縮することができる。圧縮できる素材は、ばねを含み得る。ディフューザは中空円柱を備え得、栓は中実円柱を備え得る。ディフューザの内半径は、栓の半径より僅かに大きい。ディフューザは複数のディフューザ開口を備え得る。
【００１０】
[110]  流れ制御装置は、流れ制御室を画成する流れ制御部本体と、流れ制御部本体に取外し可能に取り付けられているインターフェースとをさらに備え得る。固定長さ止栓の固定部分が、インターフェースに取り付けられている。固定長さ止栓が、流れ制御室内に所定の距離だけ延出する。
【００１１】
[111]  固定長さ止栓は圧縮できる素材を含み得、それにより、固定長さ止栓をその長手方向軸に沿って圧縮することができる。圧縮できる素材は、ばねを含み得る。
【００１２】
[112]  流れ制御装置は、さらに、複数の所定の長さを有する複数の固定長さ止栓を備え得る。装着されると、固定長さ止栓のそれぞれが、流れ制御室を通過する流体にある流速を生じさせるためにディフューザに所定の距離だけ入った状態で位置決めされる。固定長さ止栓は、所定の長さに従って色分けされている。
【００１３】
[113]  本願は、さらに、流れ制御室を通る液体の流速を制御する方法を記載する。その方法は、様々な寸法の複数の固定長さ止栓を整えるステップと、流れ制御室を通る液体について所望の流速を決定するステップと、様々な寸法の複数の固定長さ止栓の１つを選択するステップと、様々な寸法の固定長さ止栓の選択された１つを流れ制御室の内部に配置するステップと、液体を所望の流速で流れ制御室を通して流すステップとを含み得る。
【図面の簡単な説明】
【００１４】
【図１】[114]公知の調節可能な流れ制御装置の例を示す分解組立図である。
【図２】[115]本明細書に記載する流れ制御装置の斜視図である。
【図３】[116]図２の流れ制御装置の分解組立図である。
【発明を実施するための形態】
【００１５】
[117]  ここで図面を参照すると、複数の図面を通して同じ番号は同じ要素を指すが、図２は、本明細書に記載される流れ制御装置１００を示す。上記に説明したように、流れ制御装置１００は、当技術分野で周知の飲料ディスペンサバルブアセンブリ（図示せず）と共に使用するように意図されている。これら飲料ディスペンサバルブアセンブリの１つの一部分として、流れ制御装置１００は、１つまたは複数の飲料流体ライン（図示せず）に接続されそれらと流体連通することができ、その結果、流れ制御装置１００は、混合済み濃縮液、混合済み希釈液、または未混合飲料流体などの飲料流体を飲料流体ラインから受け取る。流れ制御装置１００は、飲料計量供給バルブアセンブリの計量供給ノズル（図示せず）によって送出される飲料流体の流量および流速を制御するように作動することができる。
【００１６】
[118]  図２に示されるように、流れ制御装置１００は、２つの部分に分けることができる。すなわち、流れ制御アセンブリ１１０と、バルブアセンブリ１２０とである。一般に、流れ制御アセンブリ１１０は、飲料流体ラインに作動的に接続され、そこから飲料流体を受け取ることができる。流れ制御アセンブリ１１０は、高品質のドリンクが計量供給ノズルから送出されるように、飲料流体の流速を調節する。バルブアセンブリ１２０は、流れ制御アセンブリ１１０および計量供給ノズルの両方に作動的に係合され得る。すなわち、バルブアセンブリ１２０は、所望の量の飲料流体を計量供給バルブアセンブリから計量供給ノズルへ通過させる。
【００１７】
[119]  流れ制御アセンブリ１１０は、マニホルド入口１３０と、流れ制御部本体１４０とを備え得る。流れ制御部本体１４０は、マニホルド１５０の一部分である。また、マニホルド１５０の一部分が、バルブアセンブリ１２０のバルブ本体１６０でもあり得る。バルブアセンブリ１２０は、さらに、電気結合部１７０と、マニホルド出口１８０とを備え得る。
【００１８】
[120]  図３に示されるように、流れ制御アセンブリ１００は、さらに、施蓋ユニット１９０および流れ制御ユニット２００に分けることができる。一般に、流れ制御ユニット２００は、飲料流体を飲料流体ラインから受け入れるとき飲料流体によって加えられる流れ圧力の変動の中で飲料流体流速を一定に維持することができる。したがって、流れ制御装置１００は、一定の品質および味を有する飲料を飲料ディスペンサが提供するために好適な流速が望まれる計量供給ノズルに飲料流体を流すとき、好適な流速を設定することができる。施蓋ユニット１９０は、流れ制御ユニット２００の機構を係止し、その機構を流れ制御室２１０内に位置決めし、システムを封止するのを補助することができる。
【００１９】
[121]  特に、マニホルド１５０は、流れ制御アセンブリ１００およびバルブアセンブリ１２０を支持し、それらに作動的に連結し得る。流れ制御部本体１４０は、流れ制御ユニット２００および施蓋ユニット１９０を流れ制御部本体１４０に固定することができる。図３のバルブアセンブリ１２０は、さらに、インダクタユニット２２０を割り付けられて備え得る。インダクタユニット２２０は、コイルアセンブリ２３０を介して、流れ制御装置１００を通って流れる飲料流体の量を制御することができる。したがって、実際には、コイルアセンブリ２３０は、所望の量の飲料流体を送出するバルブとして働く。この機能は他の手段によって達成することもできることを当業者は理解するであろう。
【００２０】
[122]  流れ制御部本体１４０は、流れ制御室２１０を画成することができる。施蓋ユニット１９０および流れ制御ユニット２００は、流れ制御室２１０の全長に亘って配置され得る。流れ制御部本体１４０は、さらに、対応する流れ制御部ねじ２５０をねじ式に受け入れる少なくとも１つの係止部材２４０を備え得る。係止部材２４０は、好ましくはねじを受けるように構成されているが、係止部材２４０は、施蓋ユニット１９０および流れ制御ユニット２００を流れ制御室２１０の中に取り付けるための任意の手段に対応するように構成することができることが当業者には理解されよう。マニホルド入口１３０は、流れ制御室２１０に作動的に連結されそれと流体連通し、流れ制御部本体１４０から外側へ延出して飲料流体を飲料流体ラインから受け取ることができる。
【００２１】
[123]  同様に、バルブ本体１６０は、インダクタユニット２２０をバルブ本体１６０に固定することができる。バルブ本体１６０は、バルブ室２６０を画成することができる。インダクタユニット２２０は、バルブ室２６０の全長に亘って配置され得る。バルブ本体１６０は、対応するバルブねじ２８０をねじ式に受け入れる少なくとも１つの係止部材２７０を備え得る。
【００２２】
[124]  既述のように、マニホルド１５０は、マニホルド出口１８０を備えることができ、そのマニホルド出口１８０は、バルブ室２６０に作動的に連結され、バルブ本体１６０から外側へ延出して、飲料流体を流れ制御装置１００から送出することができる。さらに、マニホルド１５０は、飲料流体を流れ制御アセンブリ１１０からバルブアセンブリ１２０へ導く結合チャネル（図示せず）を形成し、それによって、流れ制御アセンブリ１１０とバルブアセンブリ１２０とを作動的に連結することができる。
【００２３】
[125]  図３に示すように、流れ制御ユニット２００は、流れ制御室２１０に入る飲料流体を押さえる固定長さ止栓２９０を備え得る。実質的に、固定長さ止栓２９０は、入って来る飲料流体に伴う好ましくない高圧力または低圧力を緩和させることができる。流れ制御ユニット２００は、さらに、固定長さ止栓２９０の周りに配置されたディフューザスリーブ３００を備え得る。複数のディフューザ出口３１０が、ディフューザスリーブ３００を廻って配置され得て、固定長さ止栓２９０と協働することにより、飲料流体が流れ制御アセンブリ１１０を通ってバルブアセンブリ１２０へ通過するとき、所望の流速を実現する。
【００２４】
[126]  固定長さ止栓２９０は、軸３２０と、栓３３０とを備え得る。軸３２０は、中実金属円柱でもよいが、他の形状および材料を使用してもよい。円柱の一方の端部では、軸３２０の外面がねじ状開口に受け入れられるように、軸３２０の外面にねじを切ることができる。円柱の他方の端部では、軸３２０を栓３３０に取り付けることができる。栓３３０は、やはり中実金属円柱でもよいが、他の形状および材料を使用してもよい。栓３３０は、軸３２０より直径を大きくすることができるが、これは要件ではない。栓３３０は、ディフューザスリーブ３００に挿入することができるような大きさにされ得、ディフューザスリーブ３００は、中空金属円柱を備えてもよいが、やはり、他の形状および材料を使用してもよい。ディフューザスリーブ３００の内半径は、栓３３０の半径より僅かに大きくし得る。使用中、固定長さ止栓２９０をその長手方向軸に沿って圧縮することができるように、軸３２０の一部分をばねなどの圧縮できる素材で製作してもよいが、図３には、その代替形態は示されていない。
【００２５】
[127]  止栓ユニット１９０は、インターフェース３４０を備えることができ、インターフェース３４０は固定長さ止栓２９０に係合するように構成されている。既述のように、固定長さ止栓２９０の軸３２０には、インターフェース３４０に配置されたねじ状開口によって受け入れられ得るように、ねじを切ってもよい。この目的を達成するために他の係止手段が可能であることを当業者は理解するであろう。インターフェース３４０のねじ状開口は、固定長さ止栓２９０の固定部分を受け入れるように設計され得る。それにより、固定長さ止栓２９０が、インターフェース３４０に適切に装着され、インターフェースが、流れ制御室２１０に適切に取り付けられる（より詳細に以下に説明されるように）と、栓３３０が、流れ制御室２１０内に所定の（すなわち既知の）長さだけ延出する。
【００２６】
[128]  インターフェースは、流れ制御ユニットリテイナ３６０に貫通して挿入され得るノブ３５０をさらに備え得、流れ制御ユニットリテイナ３６０は、インターフェース３４０が、流れ制御部本体１４０に取り付けられたとき、それが確実に好適に位置決めされるようにする。これにより、固定長さ止栓２９０（固定長さ止栓２９０はインターフェース３４０に所定の長さだけねじ込まれている）が、ディフューザスリーブ３００および流れ制御室２１０内に確実に好適に位置決めされ（上記の通り）得る。シール３７０および３８０は、流れ制御室２１０を通って流れて行く流入飲料流体の漏出を防止するのに使用され得る。
【００２７】
[129]  作動中、飲料流体は、飲料流体ラインからマニホルド入口１３０に流れ込み、ディフューザスリーブ３００に導入され得る。次いで、飲料流体は、ディフューザスリーブ３００（ディフューザスリーブ３００は流れ制御室２１０内に配置されている）内に配置された栓３３０に衝突し得る。飲料流体は、次いで、栓３３０の頭部を横切り、栓３３０の外半径とディフューザスリーブ３００の内半径によって画成された空間を通って流れ得る。飲料流体は、次いで、ディフューザ出口３１０を通ってその空間から流出し得る。栓３３０を出口スリーブ３００内にディフューザ出口３１０と相関させて配置することによって、飲料流体が装置のこの領域を通過するとき、飲料流体に所望の流速を付与することができる。この箇所から、飲料流体は、次いで、流れ制御アセンブリ１１０の流れ制御室２１０を通って、接続チャネル（図示せず）を経由してバルブアセンブリ１２０のバルブ室２６０へ導かれ得る。
【００２８】
[130]  バルブアセンブリ１２０の働きは、飲料流体をディスペンサノズルまで進ませ得、またはそれ以上流れるのを止め得ることである。たとえば、バルブの閉位置では、バルブアセンブリ１２０は、流体が引き続き流れるのを止め得る。所望のドリンクを飲料ディスペンサから計量供給するように要求されたときなど、バルブの開位置では、バルブアセンブリ１２０は、ユニットを通して飲料流体を流させ得る。この機能は、当技術分野で周知のいくつかの手段によって達成することができるが、図３に示す例は、バルブ室２６０内に配置され、マニホルド出口１８０への飲料流体の流れを選択的に制止するコイルアセンブリ２３０に作動的に連結するプランジャ３９０を有するインダクタユニット２２０を示す。コイルアセンブリ２３０は、コイル要素４００と、コイル要素４００に作動的に連結されたアクチュエータ要素４１０とを備え得、それによって、コイル要素４００とアクチュエータ要素４１０は協働して、プランジャ３９０の位置を選択的に制御して飲料流体の流れを制止するように作用する。すなわち、所望のドリンクを飲料ディスペンサから計量供給するように要求されると、電流がコイル要素４００を通して流されてアクチュエータ要素４１０が磁化され得る。アクチュエータ要素４１０が、電動力をプランジャ３９０に加え得てプランジャ３９０を持ち上げ、開口通路を露出することにより、流体の流れをマニホルド出口１８０に向かわせ、その流体の流れは、次いで、ノズルを通って送り出され得る。このようにして、バルブアセンブリ１２０は、ディスペンサノズルから放出される飲料の量を制御することができる。
【００２９】
[131]  このようにして、飲料流体は、制御された一定の流速で所望の量だけ送出され得る。したがって、２つ以上のそのような流れ制御装置１００が、一定した比率の要求成分を有する混合飲料（すなわち、１つまたは複数の液体飲料成分の調合を要する飲料）を調製するのに使用され得る。これは、流れ制御装置１００のそれぞれに、適切な寸法の固定長さ止栓２９０を使用することによって達成され得る。より詳細には、各流れ制御装置１００には、合成効果（液体飲料成分それぞれの流れ制御装置の液体飲料成分に各固定長さ止栓２９０が生じさせる特定の流速による）によって混合飲料に適切な成分比が得られるように特定の固定長さ止栓２９０（それはその他の固定長さ止栓２９０とは異なる長さであり得る）が装着され得る。
【００３０】
[132]  たとえば、飲料「Ｚ」は、飲料成分「Ｘ」と、飲料成分「Ｙ」との混合物を含み得る。さらに、この単純化された例としては、飲料Ｚ中のＸおよびＹの適切な比は、６０％Ｘおよび４０％Ｙであり得る。すなわち、流れ制御装置１００同士は、得られる飲料混合物に実質的に適切な比率を達成するために、相対的に一定した特定の流速を有する必要がある。これを考慮して、複数の固定長さ止栓２９０が、固定長さの範囲をある長さ間隔でカバーするように構成され得、すなわち、固定長さ止栓２９０のセットが作られ得る。すなわち、様々な長さの固定長さ止栓２９０は、特定の飲料成分に関して様々な流速（または、密度、粘性など、流速に関し実質的に同じ物理的特性を有する類似の飲料成分のグループに関して様々な流速）を示し得る。セット中の各固定長さ止栓２９０は、装着に際し、ディフューザスリーブ３００内で栓３３０が異なる位置を占め、したがって、装置を通る特定の飲料成分が異なる流速を有する結果を生じ得る。
【００３１】
[133]  止栓２９０は、所望の流速に応じて色分けされ得、すなわち、赤い止栓２９０はある流速を有し、緑の止栓２９０は違う流速を有するなどのようになる。止栓２９０は、広範囲の流体および流体特性に適応させることができる。
【００３２】
[134]  この例ではさらに、セットの固定長さ止栓２９０のそれぞれを使用して、流れ制御ユニット２００を通る飲料成分Ｘの流速を調べることができる。同様に、セットの固定長さ止栓２９０のそれぞれを使用して、流れ制御ユニット２００を通る飲料成分Ｙの流速を調べることができる。調査の結果は、固定長さ止栓２９０のどの組合せが、飲料Ｚのために好適な６０−４０混合物を達成するかを決定するのに使用され得る。現場では、２つの該当する固定長さ止栓は、それらをインターフェース３４０に単に挿入することによって、効率的に装着することができる。その後は、飲料ディスペンサで飲料Ｚが所望される度毎に、この既知の固定長さ止栓２９０の組合せを好都合に使用することができる。さらに、固定長さ止栓２９０を使用することは、流速が使用中「ドリフト」せず、それにより、より一定した流速が実現し、再較正の必要がなくなることを意味する。
【図１】
2010527070.tif 000003
【図２】
2010527070.tif 000004
【図３】
2010527070.tif 000005
【国際調査報告】
2010527070.tif 000006
2010527070.tif 000007